(57)【要約】  【課題】  背板の起立動作終了時、使用者の膝部が屈曲しないようにすること。  【解決手段】  伏臥時は相互に略フラットをなすようにヒンジ連結された一対の膝ボトムをベッドフレームから起立させて前記膝ボトムが略「ヘ」型を形成するようにせしめる膝上げ機構と、背板を前記ベッドフレームから起立させる背上げ機構とを備え、前記膝上げ機構が前記背上げ機構と同期して動作するようにしたベッド装置において、前記膝上げ機構を、周期回転するカム部材と、一端部が前記カム部材からの回転力を受けて前記カム部材に１回転中に他端部が前記膝ボトムの一方を起立させた後に再度伏臥させるレバーとから構成した、ベッド装置を構成した。  【選択図】  図２
2005118087.tif 000002
【特許請求の範囲】
【請求項１】
伏臥時は相互に略フラットをなすようにヒンジ連結された一対の膝ボトムをベッドフレームから起立させて前記膝ボトムが略「ヘ」型を形成するようにせしめる膝上げ機構と、背板を前記ベッドフレームから起立させる背上げ機構とを備え、前記膝上げ機構が前記背上げ機構と同期して動作するようにしたベッド装置において、前記膝上げ機構を、周期回転するカム部材と、一端部が前記カム部材からの回転力を受けて前記カム部材に１回転中に他端部が前記膝ボトムの一方を起立させた後に再度伏臥させるレバーとから構成した、ベッド装置。
【発明の詳細な説明】
【技術分野】
【０００１】
本発明は、ベッド装置に関し、特に背上げ機構及び膝上げ機構の双方を備えたベッド装置に関する。
【背景技術】
【０００２】
上記したタイプのベッド装置の一例が、特許文献１に明示されている。すなわち、特許文献１が開示するベッド装置においては、膝上げ機構の動作を背上げ機構の動作に先行させ、背上げ機構の動作中に使用者の身体がずれないようにされている。
【特許文献１】特開２０００−１０７２３５号公報
【発明の開示】
【発明が解決しようとする課題】
【０００３】
しかしながら、上記したベッド装置においては、背上げ機構の動作が完了したとき、膝上げ機構の動作も完了しているので、膝ボトムは略「ヘ」型に維持されたままで、使用者は、足を伸ばすことが出来ないという問題がある。
【０００４】
それ故に、本発明は、かような不具合が惹起されることがない、ベッド装置を提供することを、その課題とする。
【課題を解決するための手段】
【０００５】
上記の課題を解決するために請求項１で講じた技術的手段は、「伏臥時は相互に略フラットをなすようにヒンジ連結された一対の膝ボトムをベッドフレームから起立させて前記膝ボトムが略「ヘ」型を形成するようにせしめる膝上げ機構と、背板を前記ベッドフレームから起立させる背上げ機構とを備え、前記膝上げ機構が前記背上げ機構と同期して動作するようにしたベッド装置において、前記膝上げ機構を、周期回転するカム部材と、一端部が前記カム部材からの回転力を受けて前記カム部材に１回転中に他端部が前記膝ボトムの一方を起立させた後に再度伏臥させるレバーとから構成した、ベッド装置」を構成したことである。  
【発明の効果】
【０００６】
請求項１に記載の発明によれば、背上げ機構の動作完了時には、膝ボトムの双方が略フラットな状態に復帰しているので、使用者は足を伸ばすことが出来る。またカム部材のプロフィールやレバー比を適宜調整することにより、膝上げ機構の背上げ機構に対する動作タイミングを調整できる。
【発明を実施するための最良の形態】
【０００７】
以下、本発明を実施するための最良の形態を、図面を基に説明する。
【０００８】
図１に示されるように、ベッド装置１０は、フレーム１２を備える。フレーム１２上の右側には、背ボトム２０が、背上げ機構３０により、起伏可能に配設される。背ボトム２０の左側（使用者の足側）においては、使用者の臀部を支持する尻ボトム１４が、フレーム１２に固定される。フレーム１２上においては、尻部支持板１４の左側（使用者の足側）には、一対の膝ボトム１６・１８が配設される。膝ボトム１６の左端部及び膝ボトム１８の右端部は、夫々、反時計方向及び時計方向に回動可能となるように、図示されない周知の手段によりヒンジ結合される。
【０００９】
一対の膝ボトム１６・１８は、膝上げ機構５０の非作動時は、相互にフラットをなす状態（伏臥状態）をなすが、後述するように、背上げ機構３０の作動中に膝上げ機構５０が作動されると、膝ボトム１６が時計方向に回動すると共に膝ボトム１８が反時計方向に回動して、図２に示されるように、一対の膝ボトム１６・１８が略「ヘ」型をなし、図３に示されるように、背上げ機構３０の動作完了の時には、一対の膝ボトム１６・１８は再度、フラットになり、使用者が足を伸ばすことが可能となる。
【００１０】
膝上げ機構５０について詳説する。膝上げ機構５０は、ピン５２によりフレーム１２に枢支されたレバー５４を備える。レバー５４の左端部にはローラ５６が固定されている。レバー５４の右端部にはローラ５８が回転可能に装着されており、このローラ５８は、膝ボトム１６の下面を支持する。ローラ５６は、軸６０と一体的に設けられたカム部材６２のアウタプロフィールと常時係合している。しかして、カム部材６２のアウタプロフィールの作用方向の両端部は、高さが最低となっており、また、中間部が高さが最高となっている。そして、一方の最低高さ部と最高高さ部の間は滑らかな凸曲面となっている。図１に示す状態では、カム部材６２のアウタプロフィールの一方の最低高さ部がローラ５６と係合している。
【００１１】
軸６０は、駆動機構４０のアクチュエータの軸（図示略）により回転させられる。しかして、駆動機構４０は背上げ機構３０をも作動させるようになっており、膝上げ機構５０と背上げ機構３０とは、共通の駆動機構４０により、作動させられるようになっている。
【００１２】
いま、図１の状態において、駆動機構４０が始動されると、まず、背上げ機構３０が作動する。背上げ機構３０の作動により、背ボトム２０が起立する。背ボトム２０が完全に起立した時（つまり背上げ機構３０の動作完了時）に、膝上げ機構５０も作動して、カム部材６２がローラ５６に作用してレバー５４を反時計方向に回動して膝ボトム１６が時計方向に回動すると共に膝ボトム１８を反時計方向に回動する。そして、図２に示されるように、カム部材６２の最高高さ部にローラ５６に作用したとき、一対の膝ボトム１６・１８が起立しきって略「ヘ」型をなす。
【００１３】
この後、カム部材６２は、最高の高さから最低の高さに至るので、これにより、レバー５４が時計方向に回動して、膝ボトム１６が反時計方向に回動すると共に膝ボトム１８が時計方向に回動して、図に示されるように、背上げ機構３０の動作完了の時には、一対の膝ボトム１６・１８は再度、フラットになり、使用者が足を伸ばすことが可能となる。
【００１４】
上記の構成においては、背上げ機構３０の動作完了時には、膝ボトムの双方１６・１８が略フラットな状態に復帰しているので、使用者は足を伸ばすことが出来る。またカム部材６２のプロフィールやレバー比（ピン５２の位置）を適宜調整することに、膝ボトムの双方１６・１８の回動量（起立量）や動作タイミングを調整できる。
【図面の簡単な説明】
【００１５】
【図１】本発明に係るベッド装置の概念構造を示す側面図。
【図２】図１に示すベッド装置の、背板起立動作過程における、側面図。
【図３】図１に示すベッド装置の、背板起立動作完了時における、側面図。
【符号の説明】
【００１６】
１０  ベッド部
１６  膝ボトム
１８  膝ボトム
３０  背上げ機構
４０  駆動源
３０  リンク機構
【図１】
2005118087.tif 000003
【図２】
2005118087.tif 000004
【図３】
2005118087.tif 000005